(57)【要約】【課題】端末自体に周辺の混雑度を測定する機能を持たせ、その情報を共有することで、混雑度を測定すること。【解決手段】少なくとも１つ以上の携帯電話機１０２が、混雑度測定部１０２Ｂで周辺の混雑度を測定し、混雑情報としてメインサーバー１０４へ送信し、メインサーバー１０４は、携帯電話機１０２からの混雑情報を集計して保存し、要求された特定の場所に関する混雑情報を要求元へ提供する。【選択図】図１
2008177684.tif 000002
【特許請求の範囲】
【請求項１】
少なくとも１つ以上の移動体端末が、周辺の混雑度を測定し、混雑情報としてサーバーへ送信し、
前記サーバーは、前記移動体端末からの混雑情報を集計して保存し、要求された特定の場所に関する混雑情報を要求元へ提供することを特徴とする混雑情報提供システム。
【請求項２】
前記混雑度は、電波計測による移動体端末の数であることを特徴とする請求項１記載の混雑情報提供システム。
【請求項３】
前記混雑度は、画像処理、赤外線センサーおよび音センサーなどによる対象となる人／物の数であることを特徴とする請求項１または２記載の混雑情報提供システム。
【請求項４】
周辺の混雑度を測定し、
サーバーに、該混雑情報を集計させ、要求された特定の場所に関する混雑情報を要求元へ提供させるべく
混雑情報として前記サーバーへ送信することを特徴とする移動体端末。
【請求項５】
前記混雑度は、電波計測による移動体端末の数であることを特徴とする請求項４記載の移動体端末。
【請求項６】
前記混雑度は、画像処理、赤外線センサーおよび音センサーなどによる対象となる人／物の数であることを特徴とする請求項４または５記載の移動体端末。
【請求項７】
少なくとも１つ以上の移動体端末が、周辺の混雑度を測定し、混雑情報としてサーバーへ送信し、
少なくとも１つ以上の移動体端末が測定した周辺の混雑度である混雑情報を受け取り、集計して保存し、要求された特定の場所に関する混雑情報を要求元へ提供することを特徴とするサーバー。
【請求項８】
前記混雑度は、電波計測による移動体端末の数であることを特徴とする請求項７記載のサーバー。
【請求項９】
前記混雑度は、画像処理、赤外線センサーおよび音センサーなどによる対象となる人／物の数であることを特徴とする請求項７または８記載のサーバー。
【請求項１０】
少なくとも１つ以上の移動体端末が、周辺の混雑度を測定し、混雑情報としてサーバーへ送信し、
前記サーバーは、前記移動体端末からの混雑情報を集計して保存し、要求された特定の場所に関する混雑情報を要求元へ提供することを特徴とする混雑情報提供方法。
【請求項１１】
前記混雑度は、電波計測による移動体端末の数であることを特徴とする請求項１０記載の混雑情報提供方法。
【請求項１２】
前記混雑度は、画像処理、赤外線センサーおよび音センサーなどによる対象となる人／物の数であることを特徴とする請求項１０または１１記載の混雑情報提供方法。
【請求項１３】
コンピュータシステムに請求項４から９のいずれか１項に記載の機能を実現させることを特徴とするプログラム。
【発明の詳細な説明】
【技術分野】
【０００１】
本発明は、特定の場所の混み具合の情報を提供する技術に関する。
【背景技術】
【０００２】
道路における交通渋滞情報は、テレビジョン、ラジオでの道路交通情報、道路上又は高速道路におけるゲート上での道路情報表示盤、道路交通情報センターへの電話問合せ、ＶＩＣＳ（道路交通情報通信システム）受信機能を有するカーナビゲーション等で知ることができる。
【０００３】
しかしながら、テーマパーク、娯楽施設等の特定の場所における混み具合を知る手段が、直接特定の場所に電話問い合わせをすることぐらいしかなく、手軽に且つリアルタイムに知る手段がないという問題がある。このような問題に関連して、従来、混雑情報の測定には、位置情報を測定する機能のついた携帯端末それぞれに位置情報を報告させ、サーバーで集計を行うことで、混雑度を測定するものがある。
【特許文献１】特開２００４−８０４３９号公報
【特許文献２】特開２００６−１５７５０２号公報
【発明の開示】
【発明が解決しようとする課題】
【０００４】
しかしながら、従来の方法では、混雑度を測定するのに、端末すべてに位置情報を報告させるという手間がかかる。
【０００５】
本発明は、以上説明した問題点を解決するためになされたものである。その目的は、端末自体に周辺の混雑度を測定する機能を持たせ、その情報を共有することで、混雑度を測定することである。
【課題を解決するための手段】
【０００６】
本発明は、少なくとも１つ以上の移動体端末が、周辺の混雑度を測定し、混雑情報としてサーバーへ送信し、
前記サーバーは、前記移動体端末からの混雑情報を集計して保存し、要求された特定の場所に関する混雑情報を要求元へ提供する混雑情報提供システムを提供する。
【０００７】
また、本発明は、周辺の混雑度を測定し、
サーバーに、該混雑情報を集計させ、要求された特定の場所に関する混雑情報を要求元へ提供させるべく
混雑情報として前記サーバーへ送信する移動体端末を提供する。
【０００８】
また、本発明は、少なくとも１つ以上の移動体端末が、周辺の混雑度を測定し、混雑情報としてサーバーへ送信し、
少なくとも１つ以上の移動体端末が測定した周辺の混雑度である混雑情報を受け取り、集計して保存し、要求された特定の場所に関する混雑情報を要求元へ提供するサーバーを提供する。
【０００９】
また、本発明は、少なくとも１つ以上の移動体端末が、周辺の混雑度を測定し、混雑情報としてサーバーへ送信し、
前記サーバーは、前記移動体端末からの混雑情報を集計して保存し、要求された特定の場所に関する混雑情報を要求元へ提供する混雑情報提供方法を提供する。
【発明の効果】
【００１０】
本発明によれば、端末自体に混雑度を測定する機能を持たせ、その情報を共有することで、混雑度を容易に測定することができる。
【発明を実施するための最良の形態】
【００１１】
以下、本発明の実施の形態について図面を参照して詳細に説明する。
【００１２】
図１および図２は、本発明による混雑情報提供システムの概略図を示したものである。図１は本発明に係るＧＰＳ（全地球測位システム）機能付き携帯電話機及びサーバーで構成される概略ネットワークを示す図である。
【００１３】
本図に示すように、複数の基地局１０１の各々エリア２００には複数の携帯電話機１０２が在り、携帯電話機１０２の各々は通話機能、通信機能を有し、基地局１０１と無線回線で接続される。
【００１４】
複数の基地局１０１の各々には後述する電話番号／ＩＰアドレス情報・位置情報・混雑情報抽出部１０１Ａ、送受信部１０１Ｂが設けられる。
【００１５】
さらに、複数の携帯電話機１０２の各々は、ＧＰＳ機能を有し、人工衛星である複数のＧＰＳ衛星１０３に衛星回線で接続され、ＧＰＳ衛星１０３からの電波を基にして携帯電話機１０１の位置情報を２次元または３次元情報として提供される。
【００１６】
複数の携帯電話機１０２の各々には電話番号またはＩＰアドレス情報・位置情報・混雑情報付加部１０２Ａが設けられ、電話番号／ＩＰアドレス情報・位置情報・混雑情報付加部１０２Ａは、インターネット接続時に、電話番号／ＩＰアドレス情報と、ＧＰＳ衛星１０３から受信した位置情報および混雑情報を基地局１０１への上りデータ中に付加して送信するのに使用される。
【００１７】
前述の基地局１０１の電話番号／ＩＰアドレス情報・位置情報・混雑情報抽出部１０１Ａは、携帯電話機１０２から受信した上り信号から電話番号／ＩＰアドレス情報・位置情報・混雑情報付加部１０２Ａにより付加された電話番号／ＩＰアドレス情報、位置情報及び混雑情報を抽出する。
【００１８】
また、複数の携帯電話機１０２の各々には周辺の混雑度を測定する混雑度測定部１０２Ｂが設けられ、周辺の携帯電話機の電波の数を計測する機能の他、カメラ機構による画像処理や、赤外線センサー、音センサーなどにより、周辺の人間等の対象数を計測し混雑度の測定が実現される。画像処理や、赤外線センサー、音センサーの各技術については既知のものが用いられる。
【００１９】
ここで、混雑度の基礎となる対象数としては、携帯電話機の数および人間等の対象物そのものの数などがあるが、特に限定されなく混雑度を測ることができるものすべてを含む。
【００２０】
なお、携帯電話機１０２がない地点、歩行している人が少ない地点の混雑度の測定は、補助的に測定機１０２１を設置して行うことであってもよい。
【００２１】
複数の基地局１０１には、それぞれ送受信部１０１Ｂを経由して、メインサーバー１０４が接続され、メインサーバー１０４は、ＧＰＳ機能付き携帯電話機１０２からの電話番号／ＩＰアドレス情報及び位置情報、混雑情報要求を受信し情報に応じた制御を以下のように実行する。
【００２２】
メインサーバー１０４には電話番号／ＩＰアドレス情報・位置情報・混雑情報監視部１０４Ａが設けられ、電話番号／ＩＰアドレス情報・位置情報・混雑情報監視部１０４Ａは基地局１０１の電話番号／ＩＰアドレス情報・位置情報・混雑情報抽出部１０１Ａが携帯電話機１０２から受信した電話番号／ＩＰアドレス情報・位置情報及び混雑情報を抽出するのを監視し、抽出した電話番号／ＩＰアドレス情報・位置情報及び混雑情報を、抽出した日付時刻情報と共に取得する。
【００２３】
さらに、メインサーバー１０４にはデータベース１０４Ｄが設けられ、データベース１０４Ｄは電話番号／ＩＰアドレス情報・位置情報・混雑情報監視部１０４Ａが電話番号／ＩＰアドレス情報・位置情報・混雑情報抽出部１０１Ａから取得したＧＰＳ機能付きの携帯電話機１０２の電話番号／ＩＰアドレス情報・位置情報及び混雑情報と共に、抽出した日付時刻情報を保持する。
【００２４】
さらに、メインサーバー１０４には混雑度情報提供部１０４Ｂが設けられ、混雑度情報提供部１０４Ｂはアドレスを有し、インターネット接続が可能である携帯電話機１０２や端末１０２２からメインサーバー１０４にアクセスされ、混雑情報要求が行われると、この要求を受け付け、混雑情報の提供を行う。
【００２５】
さらに、メインサーバー１０４には混雑度レベル算出部１０４Ｃが設けられ、混雑度レベル算出部１０４Ｃは、混雑度情報提供部１０４Ｂに対して特定の場所名を指定して混雑情報要求があると、データベース１０４Ｄから各ＧＰＳ機能付きの携帯電話機１０２からの混雑度情報を集計して入場数を算出し、メインサーバー１０４は入場数を基に後述する場所名・位置範囲変換および混雑度指標サーバー１０５から混雑度レベルを取得する。
【００２６】
メインサーバー１０４には場所名・位置範囲変換および混雑度指標サーバー１０５が接続され、場所名・位置範囲変換および混雑度指標サーバー１０５はデータベース１０５Ａを有し、データベース１０５Ａは複数の特定の場所名に対して経度、緯度および高度で示される位置範囲を２次元または３次元データでそれぞれ保持し、メインサーバー１０４から位置情報を指定されるとデータベース１０５Ａで指定された位置情報が属する位置範囲を特定の場所名に変換する。
【００２７】
また、場所名・位置範囲変換および混雑度指標サーバー１０５は混雑度指標データベース１０５Ｂを有し、データベース１０５Ｂは複数の特定の場所名の収容人数を基に混雑度レベルの指標をそれぞれ保持し、メインサーバー１０４から特定の場所名の位置範囲に存在するＧＰＳ機能付きの携帯電話機１０２の混雑度が示されると、この混雑度を基に指定された特定の場所名の混雑度レベルを算出し、算出した混雑レベルをメインサーバー１０４に提供する。
【００２８】
なお、メインサーバー１０４、場所名・位置範囲変換および混雑度指標サーバー１０５はコンピュータで実行されるプログラムで形成される。
【００２９】
図２は図１におけるメインサーバー１０４のデータベース１０４Ｄに保持されるデータを説明する図である。
【００３０】
本図に示すように、データベース１０４Ｄには受信した携帯電話機の電話番号またはＩＰアドレス毎に位置情報、混雑度情報、更新日付時刻情報が保持される。
【００３１】
図３はメインサーバー１０４の混雑度情報提供部１０４Ｂの動作例を説明する図である。本図（ａ）に示すように、ＧＰＳ機能付き携帯電話機１０２、ＧＰＳ機能を備えない携帯電話機や端末１０２２からメインサーバー１０４にアクセスすると、混雑度情報提供部１０４ＢはＧＰＳ機能付き携帯電話機１０２、ＧＰＳ機能を備えない携帯電話機や端末１０２２にページ情報を取得させ、取得させたページ情報の中に、混雑レベル情報を要求する特定の場所名または位置情報を入力する表示及び決定選択表示を表示部に行う。
【００３２】
ユーザは混雑状況を知りたい特定の場所名または位置情報を入力し、決定選択することで入力した特定の場所名または位置情報が無線回線でＧＰＳ機能付き携帯電話機１０２、ＧＰＳ機能を備えない携帯電話機や端末１０２２から基地局１０１を介してメインサーバー１０４の混雑度情報提供部１０４Ｂに送信される。
【００３３】
なお、特定の場所名または位置情報は、表示部に表示された地図上の特定地点の指定による入力であってもよい。
【００３４】
本図(ｂ)に示すように、混雑度情報提供部１０４Ｂは混雑レベル情報を、要求があったＧＰＳ機能付き携帯電話機１０２、ＧＰＳ機能を備えない携帯電話機や端末１０２２に送信し、ＧＰＳ機能付き携帯電話機１０２、ＧＰＳ機能を備えない携帯電話機や端末１０２２の表示上に混雑レベルを表示部に表示させ、ユーザが混雑状況を確認することを可能にする。なお、混雑レベルに応じた色別の表示がなされてもよい。
【００３５】
図４は図１における場所名・位置範囲変換および混雑度指標サーバー１０５のデータベース１０５Ａに保持される、特定の場所名に対する位置範囲のデータを説明する図である。
【００３６】
本図（ａ）、（ｂ）に示すように、データベース１０５Ａには特定の場所名毎の位置範囲情報が２次元または３次元データとして保持され、囲まれる位置範囲が特定の場所名「東京ディズニーランド」に変換される。なお、データベース１０５Ａは随時情報の修正、追加、削除が可能である。
【００３７】
図５は図１における場所名・位置範囲変換および混雑度指標サーバー１０５のデータベース１０５Ｂに保持されるデータを説明する図である。
【００３８】
本図に示すように、データベース１０５Ｂには特定の場所名毎の収容人数情報、収容人数に対してＧＰＳ機能付きの携帯電話機１０２が存在する対象数である入場者数に応じた混雑度レベルが保持される。また、もっと細かく入場門や各アトラクションの待ち行列、またはショップやレストランの混雑度レベルも保持可能である。
【００３９】
さらに、データベース１０５Ｂには特定の場所名毎に入場者の増減値（変化）が保持される。なお、データベース１０５Ｂは随時情報の修正、追加、削除が可能である。
【００４０】
図６は図１におけるＧＰＳ機能付きの携帯電話機１０２の電話番号／ＩＰアドレス情報・位置情報・混雑情報付加部１０２Ａの動作を説明するフローチャートである。
【００４１】
本図に示すように、まず、ステップ２０１において、電話番号／ＩＰアドレス情報・位置情報・混雑情報付加部１０２Ａは、携帯電話機１０２にインターネット接続が有るか否かを判断し、インターネット接続が無い場合にはステップ２０３に進む。
【００４２】
ステップ２０２において、インターネット接続が有る場合には、電話番号／ＩＰアドレス情報・位置情報・混雑情報付加部１０２Ａはインターネット接続動作実行時に基地局１０１への上りデータの中に電話番号／ＩＰアドレス情報、位置情報及び混雑情報を付加する。
【００４３】
この場合、ＧＰＳ機能付き携帯電話機１０２からの自局電話番号／ＩＰアドレス情報及び緯度経度・高度情報からなる３次元情報の送信は、ユーザの混雑情報提供を希望する又は希望しないに拘わらず、既存の通信ネットワークシステムとして通常動作として送信される情報とする。
【００４４】
次に、ステップ２０３において、電話番号／ＩＰアドレス情報・位置情報・混雑情報付加部１０２Ａは、携帯電話機１０２に音声着信が有るか否かを判断し、音声発着信が無い場合にはステップ２０５に進む。
【００４５】
ステップ２０３において、音声着信が有る場合には、電話番号／ＩＰアドレス情報・位置情報・混雑情報付加部１０２Ａは音声着信動作実行時に基地局１０１への上りデータの中に電話番号／ＩＰアドレス情報、位置情報及び混雑情報を付加し処理を終了する。
【００４６】
ステップ２０５において、電話番号／ＩＰアドレス情報・位置情報・混雑情報付加部１０２Ａは、携帯電話機１０２にメール送受信が有るか否かを判断し、メール送受信が無い場合には処理を終了する。
【００４７】
ステップ２０６において、メール送受信が有る場合には、電話番号／ＩＰアドレス情報・位置情報・混雑情報付加部１０２Ａはメール送受信動作実行時に基地局１０１への上りデータの中に電話番号情報、位置情報及び混雑情報を付加し処理を終了する。
【００４８】
ＧＰＳ機能付き携帯電話機１０２は待ち受け時に登録エリアを移動する毎にネットワークに位置を登録する必要があるが、このように、待ち受け時にネットワークへの位置の登録時に電話番号情報及びＧＰＳからの位置情報を付加するようにしてもよい。
【００４９】
図７は図１におけるメインサーバー１０４、場所名・位置範囲変換および混雑度指標サーバー１０５の一連の動作を説明するフローチャートである。
【００５０】
本図に示すように、ステップ２１１において、メインサーバー１０４の電話番号／ＩＰアドレス情報・位置情報・混雑情報監視部１０４Ａは基地局１０１の電話番号／ＩＰアドレス情報・位置情報・混雑情報抽出部１０１Ａを監視し基地局１０１がＧＰＳ機能付き携帯電話機１０２から電話番号／ＩＰアドレス情報、位置情報及び混雑情報を受信し、電話番号／ＩＰアドレス情報・位置情報・混雑情報抽出部１０１Ａにより抽出したか否かを監視し、電話番号／ＩＰアドレス情報、位置情報及び混雑情報を取得しない場合ステップ２１６に進む。
【００５１】
ステップ２１２において、データベース１０４Ｄでは、取得した電話番号／ＩＰアドレス情報、位置情報及び混雑情報、取得した日付時刻情報を保持する。
【００５２】
ステップ２１３において、メインサーバー１０４から場所名・位置範囲変換および混雑度指標サーバー１０５に位置情報を指定する。
【００５３】
ステップ２１４において、場所名・位置範囲変換および混雑度指標サーバー１０５では、データベース１０５Ａを介して、指定された位置情報に属する位置範囲を特定の場所名に変換する。
【００５４】
ステップ２１６において、混雑度情報提供部１０４Ｂではメインサーバー１０４に対して特定の場所名の混雑情報要求が有るか否かを判断する。混雑状況を知りたいユーザによりＵＲＬアドレスを介してＧＰＳ機能付き携帯電話機１０２を使用してメインサーバー１０４にアクセスし、図３に示すように、取得したページ情報から特定の場所名または位置を指定して混雑情報要求が行われる。混雑情報要求が行われない場合には処理を終了する。前述のように、ＧＰＳ機能を備えていない携帯電話機や端末１０２２でも既存の通信ネットワークシステムにてインターネット接続可能な端末であれば使用可能である。
【００５５】
ステップ２１７において、混雑度レベル算出部１０４Ｃでは、データベース１０４Ｄを介して特定の場所の位置の周囲に存在する携帯電話機あるいは人の混雑度が集計される。
【００５６】
ステップ２１８において、メインサーバー１０４から場所名・位置範囲変換および混雑度指標サーバー１０５へ特定の場所名と決定した混雑度を渡す。
【００５７】
ステップ２１９において、場所名・位置範囲変換および混雑度指標サーバー１０５では、データベース１０５Ｂを介して特定の場所と特定の場所の混雑度を基にその場所の混雑度レベルが求められる。
【００５８】
ステップ２２０において、混雑度情報提供部１０４Ｂでは、位置、周囲の混雑度情報ならびに場所名・位置範囲変換および混雑度指標サーバー１０５から取得した混雑度レベルを要求したユーザに通知する。ユーザのＧＰＳ機能付き携帯電話機１０２には取得したページ情報中に混雑度と混雑度レベルが地図とともに２次元または３次元で表示され、処理を終了する。上記通知では、メインサーバー１０４は混雑度レベル情報以外に収容人数、又は、おおよその入場者数情報として算出したＧＰＳ機能付き携帯電話機１０２の混雑度である人数情報等を通知することが可能である。
【００５９】
一方、メインサーバー１０４、場所名・位置範囲変換および混雑度指標サーバー１０５を構成する本発明の特定場所混雑情報提供システムにおけるビジネスモデルでは、ユーザに混雑情報を提供する代償として、会員登録制での月額一定料金徴収、又は混雑情報取得時に発生する接続料金（送受信した情報量〔パケット〕に対しての課金料金）を課すことにより利益を生むことになる。
【００６０】
以上説明したように、本発明によれば、ＧＰＳ機能付き携帯電話機が電話番号情報及び位置情報をインターネット接続時および音声発着呼、メール送受信時に送信するようにしたので、メインサーバーは電話番号／ＩＰアドレス情報、位置情報及び混雑情報を把握でき、任意の特定の場所名の位置範囲内の混雑度を監視することが可能になった。特定の場所名または位置の混み具合を知りたいユーザは携帯電話機からメインサーバーに対して対象の特定の場所名または位置を指定することで、必要な特定の場所名または位置の混み具合情報を知ることが可能になる。混雑情報は、ＧＰＳ機能付き携帯電話機のみではなく、インターネット接続ができる携帯電話機や端末であればＧＰＳ機能を備えていなくても混雑情報を利用でき、利用範囲が拡大する。
【００６１】
なお、上述する各実施の形態は、本発明の好適な実施の形態であり、本発明の要旨を逸脱しない範囲内において種々変更実施が可能である。例えば、各携帯電話機及び各サーバーの機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００６２】
【図１】本発明の実施の形態に係るＧＰＳ（全地球測位システム）機能付き携帯電話機及びサーバーで構成される概略ネットワークを示す図である。
【図２】本発明の実施の形態に係るメインサーバー１０４のデータベース１０４Ｄに保持されるデータを説明する図である。
【図３】本発明の実施の形態に係るメインサーバー１０４の混雑度情報提供部１０４Ｂの動作例を説明する図である。
【図４】本発明の実施の形態に係る場所名・位置範囲変換および混雑度指標サーバー１０５のデータベース１０５Ａに保持される、特定の場所名に対する位置範囲のデータを説明する図である。
【図５】本発明の実施の形態に係る場所名・位置範囲変換および混雑度指標サーバー１０５のデータベース１０５Ｂに保持されるデータを説明する図である。
【図６】本発明の実施の形態に係るＧＰＳ機能付きの携帯電話機１０２の電話番号情報・位置情報付加部１０２Ａの動作を説明するフローチャートである。
【図７】本発明の実施の形態に係るメインサーバー１０４、電話番号情報・位置情報監視部１０４Ａ、場所名・位置範囲変換および混雑度指標サーバー１０５の一連の動作を説明するフローチャートである。
【符号の説明】
【００６３】
１０１    基地局
１０１Ａ    電話番号／ＩＰアドレス情報・位置情報・混雑情報抽出部
１０１Ｂ    送受信部
１０２    携帯電話機
１０２Ａ    電話番号／ＩＰアドレス情報・位置情報・混雑情報付加部
１０２Ｂ    混雑度測定部
１０２１    測定機
１０２２    端末
１０３    ＧＰＳ衛星
１０４    メインサーバー
１０４Ａ    電話番号／ＩＰアドレス情報・位置情報・混雑情報監視部
１０４Ｂ    混雑情報提供部
１０４Ｃ    混雑度レベル算出部
１０４Ｄ    データベース
１０５    場所名・位置範囲変換および混雑度指標サーバー
１０５Ａ    場所名データベース
１０５Ｂ    混雑度指標データベース
２００    エリア
【図１】
2008177684.tif 000003
【図２】
2008177684.tif 000004
【図３】
2008177684.tif 000005
【図４】
2008177684.tif 000006
【図５】
2008177684.tif 000007
【図６】
2008177684.tif 000008
【図７】
2008177684.tif 000009